(57)【要約】【課題】洗濯物干し器の枠体の上にセーターなどのニット製品を置ける様に工夫して平干しの様に干す事によって、その型崩れを防止すること。ネットを利用した平干しの為の専用器具を不要とすること。【解決手段】洗濯物干し器の枠体１，１′の外周の所定位置から枠体１，１′の上方に位置するフック部５まで延びる支持部材４を備え、この支持部材４により枠体１，１′を片持ち支持的に支持する構造とする【選択図】図１
2012035039.tif 000002
【特許請求の範囲】
【請求項１】
多数の洗濯バサミを有する枠体を備えた洗濯物干し器であり、前記枠体を水平にした状態を考え、前記枠体の外周の所定位置から枠体の上方に位置するフック部まで延びる支持部材を備え、この支持部材により枠体を片持ち支持的に支持する構造とした事を特徴とする洗濯物干し器
【請求項２】
多数の洗濯バサミを有する枠体を備えた洗濯物干し器であり、前記枠体を水平にした状態を考え、前記枠体の外周の所定位置において枠体にほぼ垂直に１０ｃｍ以上の高さまで立ち上る立ち上り部材から水平方向又は水平方向に近づく様に角度を傾けてフック部まで連結する連結部材により前記枠体を支持する様に構成した事を特徴とする洗濯物干し器
【請求項３】
枠体に滑り止め部を備えた請求項１又は２記載の洗濯物干し器。
【発明の詳細な説明】
【技術分野】
【０００１】  本発明は多数の洗濯バサミを有する洗濯物干し器に係わり、更に詳しくは洗濯物干し器の枠体の上にセーターなどのニット製品等を干す事ができるものに関する。
【背景技術】
【０００２】  セーターなどのニット製品を洗濯して干す場合に衣類掛けハンガーや竿などに掛けて干すと、自体の重みにより伸びて型崩れを起す。この対策として平らな部分に広げて干す。平干しと云う方法があるが、都合の良い場所がなかなか見つからない。ネットを利用した平干しの為の専用器具もあるが、かなり大型なものでスペースを取る上、収納にも困ると云う問題がある。
【発明の開示】
【発明が解決しようとする課題】
【０００３】  本発明の目的は、洗濯物干し器の枠体の上にセーターなどのニット製品が置ける様に工夫して平干しの様に干す事によって、その型崩れを防止しようとしたものである。加えて、ネットを利用した平干しの為の専用器具を不要とするところにある。
【課題を解決する為の手段】
【０００４】  本発明は上記課題を達成する為、第１の手段として洗濯物干し器の枠体の外周の所定位置から枠体の上方に位置するフック部まで延びる支持部材を備え、この支持部材により枠体を片持ち支持的に支持する構造とした。第２の手段として、枠体の外周の所定位置において枠体にほぼ垂直に１０ｃｍ以上の高さまで立ち上る立ち上り部材から水平方向又は水平方向に近づく様に角度を傾けてフック部まで連結する連結部材により枠体を支持する構造とした。
【発明の効果】
【０００５】  本発明によれば洗濯物干し器の枠体の上にセーターなどのニット製品を置ける様に工夫したので、平干しの様に干す事ができ、その型崩れを防止する事ができる。従って、平干しするのに適した場所がなくても手軽に平干しする事ができる上、平干しの為の専用器具も不要である。平干しの為の専用器具はネットを利用したものであるが、かなり大型のものであり、スペースを取って他の洗濯物を干せなくなる欠点もあり、収納にも困るものであるが、本発明によればこの様な欠点も全て解消される。本発明によればセーターなどのニット製品の他に枕なども枠体の上に置いて干す事ができ、便利である。
【発明を実施する為の最良の形態】
【０００６】  図１（イ）は本発明による洗濯物干し器を示し、枠体１，１′には洗濯物を挟んで吊り下げる多数の洗濯バサミ３が備えられている。枠体１，１′は軸受部２により軸部４′を中心に回動可能な構造となっており、矢印の様に内側へ折り畳んでコンパクトな構造とする事ができる（この内側へ折り畳んでコンパクトにする構造は大型の洗濯物干し器に限り、小型のものではこの構造としなくても良い）。支持部材４は枠体１，１′を支持する為のもので、軸部４′と一体であり、軸部４′は枠体の一部を為すものである。枠体１，１′を水平にした状態を考え、支持部材４は枠体１，１′，（４′）の外周の所定位置から上方に立ち上って枠体１，１′の上方に位置するフック部５まで延びており、この支持部材４により枠体１，１′を片持ち支持的に支持する構造となっている。支持部材４は枠体１，１′，及び洗濯物を片持ち支持的に支持するので、十分な強度を持つ様にするが、図１（ロ）の様に例えば鎖の様な補強部材７を備えても良い。セーターなどのニット製品（洗濯物）を枠体１，１′の上に乗せて干した図を図１（ハ）に示すが、本発明では枠体１，１′を支持部材４が片持ち支持的に支持する構造なので、邪魔なものがなく洗濯物を非常に乗せ易い（従来の洗濯物干し器では枠体１，１′の４隅からフック部５に延びる鎖などが邪魔をして、洗濯物が乗せられない）。この場合、洗濯物がずり落ちない様に図１（イ）において枠体１，１′に滑り止め部６（盛り上り部）を備える事が望ましい（滑り止め部６はゴムなどの高摩擦材料で代用しても良い）。
尚、本発明では洗濯物干し器が高い位置にある場合は、Ｓ字フックなどを使って低くする事によってセーターなどの洗濯物を乗せ易くする事ができる。
【０００７】  図１（イ）において枠体１，１′は支持部材４により片持ち支持的に支持されているが、両端支持的に支持される様にした構造に相当するものを図２（イ）に示す。即ち図２（イ）において、枠体１，１′は立ち上り部材８（２本あり、対になっている）及び連結部材８′（２本あり、対になっている）により両端支持的に支持される様になっており、枠体１，１′を水平にした状態を考え、枠体１，１′の外周の所定位置において枠体１，１′にほぼ垂直に１０ｃｍ以上の高さまで立ち上る立ち上り部材８から水平方向又は水平方向に近づく様に角度を傾けてフック部５まで連結する連結部材８′により枠体１，１′は両端支持的に支持される様になっている。立ち上り部材８は１０ｃｍ以上の高さがあるから（実際は１４〜１８ｃｍ位欲しいところである）、この間にセーターなどのニット製品（洗濯物）を乗せて干す事は容易にできる。例えばセーターなどのニット製品を適当に折り畳んでおいて枠体１の上に乗せ、枠体１′の方へ開く様にして干せば良い（立ち上り部材８は十分な高さがあるから、これは容易にできる）。尚、図１（イ）の滑り止め部６を備えても良い。図２（イ）において立ち上り部材８を枠体１，１′の四隅に備え、連結部材８″を鎖とした構造に相当するものを図２（ロ）に示す。即ち図２（ロ）において、立ち上り部材８″は枠体１，１′の四隅に備えられ、立ち上り部材８″からフック部５まで連結する鎖状の連結部材８″が備えられている。立ち上り部材８″は１０ｃｍ以上の高さがあるから、この間にセーターなどのニット製品（洗濯物）を乗せて平干しする事ができる。尚、立ち上り部材８″は紙面に垂直方向に回動できる構造とし、枠体１，１′を内側へ折り畳んだ時に邪魔にならない様に立ち上り部材８″も折り畳める構造とするのが良い。
【０００８】  一般に洗濯物は洗濯バサミで挟んで吊したり、衣類掛けハンガーなどに掛けて干す様にするが、洗濯物の内部の風通しが良くなる様に衣類の開口部（上着の腹部や袖の開口部、ズボンの脚の開口部など）を大きく開いて干す、所謂開き干しをする事が望ましいが、この様な開き干しは上記洗濯バサミや衣類掛けハンガーでは実際は困難である。そこで図３（イ）に示す開き干し用の間隔保持具を使う事が考えられる。即ち、図３（イ）において開き干し用の間隔保持具は衣類の開口部を強制的に一定の間隔開かせる間隔保持部材９と、間隔保持部材９の両端部に備えられたクリップ部１０とから構成されている。
クリップ部１０は衣類の布地を挟む挟み部１１，１２を有しており、挟み部１２には挟む力を強める為に柔軟性のあるキャップ１５（高摩擦材料製）を挿入・固定する事が望ましい。そこで摘み部１３を指で洗濯バサミの様に摘むと、薄肉部１４は材料の肉厚が薄い為に容易に変形し、挟み部１１，１２が開き、挟み部１１，１２は摘み部１３を摘んだ指を離すと材料の弾性により閉じる（材料としては例えばプラスティック）。この様にクリップ部１０により衣類の布地を挟む事ができる。図３（ニ），（ホ）に開き干し用の間隔保持具の使い方を示し、衣類の開口部（上着の腹部や袖の開口部、ズボンの脚の開口部など）に間隔保持具Ａ，Ｂを使って開き干しするものである（間隔保持具Ａ，Ｂでは間隔保持部材の長さが前者では１８ｃｍ位、後者では８ｃｍ位が適当である。この場合、間隔保持具Ａにおいて間隔保持部材がテレスコープ式に伸縮可能な構造とすれば、これ１つで間隔保持具Ｂの代用もできる）。間隔保持具Ａ，Ｂには一定の重さがあるので、衣類の開口部だけでなく開口部の上方までも十分な空間ができ、衣類内部の風通しが良くなり、乾きが早くなる。図３（イ）において摘み部１３を除去したものに相当する間隔保持具を図３（ロ）に示す。クリップ部１０′は挟み部１２を指で直接摘んで開く。
又、図３（イ）においてクリップ部１０を通常の洗濯バサミと同一の構造としたものに相当する間隔保持具を図３（ハ）に示す。１６はバネ（Ｃ字状）である。
【０００９】  一般の物干し竿には衣類やシーツを直接掛けて干す為、雑布などで拭いて清潔にしておく必要があるが、この雑布は物干し竿に掛けておくと、落ちたり、風に飛ばされたりする。そこで図４（イ）の様に輪状の拭き具１８（袖などを切って利用する）を物干し竿１７に通しておく方法がある。この方法だと物干し竿１７を拭いた後は、図示の如く端部に寄せておけば良いので便利である。しかしながら拭き具１８を洗濯する必要がある時は、物干し竿１７を持ち上げて、これから引き抜く必要があり、面倒である（又、やりにくく、場所によっては危険である）。
以上の欠点を解消するには図４（ロ）の様な物干し竿に通す輪状の拭き具１９を使用すると良い。即ち、拭き具１９は拭き部材２０と、拭き部材２０の両端部を結合する結合具２１とから成り、結合具２１には例えば面ファスナーを使用する（ボタンを使用しても良い）。従って結合具２１を外せば拭き具１９は１枚の布の様になり、物干し竿から簡単に取り外す事ができ、これを洗濯した後は物干し竿に掛けて結合具２１を結合させれば、物干し竿に通った状態で輪状になって落ちたり、風に飛ばされたりしなくなる。この様に拭き具１９を物干し竿に取り付ける時も取り外す時も物干し竿を持ち上げて行なう必要がないので、便利である。
【図面の簡単な説明】
【００１０】
【図１】  本発明による洗濯物干し器の図である
【図２】  本発明による洗濯物干し器の図である。
【図３】  開き干し用間隔保持具を示す図である。
【図４】  物干し竿を拭く拭き具を示す図である。
【符号の説明】  １・１′は枠体、２は軸受部、３は洗濯バサミ、４は支持部材、５はフック部、６は滑り止め部、７は補強部材、８・８″は立ち上り部材、８′・８′′′は連結部材、９は間隔保持部材、１０・１０′・１０″はクリップ部、１１・１２は挟み部、１３は摘み部、１４は薄肉部、１５はキャップ、１６はバネ、Ａ・Ｂは間隔保持具、１７は物干し竿、１８は拭き具、１９は拭き具、２０は拭き部材、２１は結合具である。４′は軸部
【図１】
2012035039.tif 000003
【図２】
2012035039.tif 000004
【図３】
2012035039.tif 000005
【図４】
2012035039.tif 000006